(57)【要約】      （修正有）【課題】特殊色現像剤を用いて画像形成する場合の特殊色の定義を行うことをできる特殊色定義装置、画像形成装置及びプログラムを提供する。【解決手段】特殊色定義装置は、画像形成する上で基本となる基本色現像剤の色データと、基本色現像剤とは色が異なる特殊色現像剤の色データとにより特殊色を定義するように色データの設定を受け付ける特殊色設定受付部７６を有する。特殊色設定受付部は、基本色現像剤の色データの設定を受け付ける基本色現像剤設定受付部と、特殊色現像剤の色データの設定を受け付ける特殊色現像剤設定受付部７６と、を有する特殊色定義装置。【選択図】図６
2019020470.tif 000002
【特許請求の範囲】
【請求項１】
画像形成する上で基本となる基本色現像剤の色データと、前記基本色現像剤とは色が異なる特殊色現像剤の色データとにより特殊色を定義するように色データの設定を受け付ける特殊色設定受付部を有する特殊色定義装置。
【請求項２】
前記特殊色設定受付部は、基本色現像剤の色データの設定を受け付ける基本色現像剤設定受付部と、特殊色現像剤の色データの設定を受け付ける特殊色現像剤設定受付部と、を有する請求項１記載の特殊色定義装置。
【請求項３】
前記特殊色現像剤設定受付部は、基本色現像剤に対する特殊色現像剤の配置を含めた設定を受け付ける請求項２記載の特殊色定義装置。
【請求項４】
前記特殊色現像剤設定受付部は、特殊色現像剤の色の種別を含めた設定を受け付ける請求項２又は３記載の特殊色定義装置。
【請求項５】
前記特殊色設定受付部は、基本色現像剤の色データを用いて特殊色を定義する第１の特殊色定義部と、基本色現像剤の色データ及び特殊色現像剤の色データを用いて特殊色を定義する第２の特殊色定義部と、を有する請求項１記載の特殊色定義装置。
【請求項６】
前記特殊色設定受付部は、画像形成装置本体に依存しない色空間の色データを用いて特殊色を定義する第１の特殊色定義部と、基本色現像剤の色データ及び特殊色現像剤の色データを用いて特殊色を定義する第２の特殊色定義部と、を有する請求項１記載の特殊色定義装置。
【請求項７】
前記第１の特殊色定義部と前記第２の特殊色定義部との少なくともいずれか一方を選択する選択手段をさらに有する請求項５又は６記載の特殊色定義装置。
【請求項８】
画像形成する上で基本となる基本色現像剤の色データと、前記基本色現像剤とは色が異なる特殊色現像剤の色データとにより特殊色を定義するように色データの設定を受け付ける特殊色設定受付部と、
前記特殊色設定受付部により受け付けられた特殊色で画像を形成する画像形成本体と、
を有する画像形成装置。
【請求項９】
前記特殊色設定受付部で受け付けられた特殊色現像剤の色の種別と前記画像形成装置本体に搭載されている特殊色現像剤の色の種別とが一致しているか否かを判定する判定手段をさらに有する請求項８記載の画像形成装置。
【請求項１０】
前記特殊色設定受付部で受け付けられた特殊色現像剤の色の種別と前記画像形成装置本体に搭載されている特殊色現像剤の色の種別とが一致する場合に前記画像形成装置本体における画像形成を許可するように制御する制御手段をさらに有する請求項９記載の画像形成装置。
【請求項１１】
前記特殊色設定受付部で受け付けられた特殊色現像剤の色の種別と前記画像形成装置本体に搭載されている特殊色現像剤の色の種別とが一致しない場合に前記画像形成装置本体における画像形成を禁止するように制御する制御手段をさらに有する請求項９記載の画像形成装置。
【請求項１２】
画像形成する上で基本となる基本色現像剤の色データと、前記基本色現像剤とは色が異なる特殊色現像剤の色データとにより特殊色を定義するように色データの設定を受け付ける特殊色設定受付部と、
前記特殊色設定受付部により受け付けられた特殊色で画像を形成する画像形成本体と、
前記画像形成装置本体により画像形成すべきジョブの設定を受け付けるジョブ設定受付部と、
前記特殊色設定受付部により受け付けられた特殊色に使用する特殊色現像剤と前記ジョブ設定受付部により受け付けられたジョブに使用する特殊色現像剤とが一致しているか否かを判定する判定手段と、
を有する画像形成装置。
【請求項１３】
前記判定手段により特殊色設定受付部の特殊色現像剤とジョブ設定受付部の特殊色現像剤とが一致していると判定された場合、前記画像形成装置本体における画像形成を許可するように制御する制御手段をさらに有する請求項１２記載の画像形成装置。
【請求項１４】
前記判定手段により特殊色設定受付部の特殊色現像剤とジョブ設定受付部の特殊色現像剤とが一致していないと判定された場合、前記画像形成装置本体における画像形成を禁止するように制御する制御手段をさらに有する請求項１２記載の画像形成装置。
【請求項１５】
画像形成する上で基本となる基本色現像剤の色データの設定を受け付けるステップと、
前記基本色現像剤とは色が異なる特殊色現像剤の色データの設定を受け付けるステップと、を有し、
前記基本色現像剤と前記特殊色現像剤との色データの設定により特殊色を定義する
コンピュータに実行させるためのプログラム。
【発明の詳細な説明】
【技術分野】
【０００１】
本発明は、特殊色定義装置、画像形成装置及びプログラムに関する。
【背景技術】
【０００２】
特許文献１は、白色トナーを記録媒体上最下層に配置し、記録媒体の発色を前記白色トナーで遮断することで画像描画を行ない、その上に白色トナー以外のトナーを印字することで記録媒体色と白色トナー以外のトナーの発色によるカラー画像を形成することを特徴とする画像形成装置を開示する。
【先行技術文献】
【特許文献】
【０００３】
【特許文献１】特開２００９−３７１３８号公報
【発明の概要】
【発明が解決しようとする課題】
【０００４】
ところで、基本色現像剤に加えて白色トナーのように特殊色現像剤を用いると、基本色現像剤のみで画像形成する場合とは異なる色を表現することができる。このような色を特殊色と称する。
なお、基本色現像剤とは、画像形成する上で基本となる色の現像剤であり、ＹＭＣ（イエロー、マゼンダ、シアン）或はＹＭＣＫ（イエロー、マゼンダ、シアン、黒）の現像剤である。また、特殊色現像剤とは、基本色現像剤以外の現像剤であり、例えば、金、銀、透明、白、オレンジ等の現像剤が含まれる。
【０００５】
本発明は、特殊色現像剤を用いて画像形成する場合の特殊色の定義を行うことをできる特殊色定義装置、画像形成装置及びプログラムを提供することを目的としている。
【課題を解決するための手段】
【０００６】
請求項１に係る本発明は、画像形成する上で基本となる基本色現像剤の色データと、前記基本色現像剤とは色が異なる特殊色現像剤の色データとにより特殊色を定義するように色データの設定を受け付ける特殊色設定受付部を有する特殊色定義装置である。
なお、特殊色定義装置とは、特殊色の定義をコンピュータやサーバ等を用いてより実現する手段をいう。
【０００７】
請求項２に係る本発明は、前記特殊色設定受付部は、基本色現像剤の色データの設定を受け付ける基本色現像剤設定受付部と、特殊色現像剤の色データの設定を受け付ける特殊色現像剤設定受付部と、を有する請求項１記載の特殊色定義装置である。
【０００８】
請求項３に係る本発明は、前記特殊色現像剤設定受付部は、基本色現像剤に対する特殊色現像剤の配置を含めた設定を受け付ける請求項２記載の特殊色定義装置である。
【０００９】
請求項４に係る本発明は、前記特殊色現像剤設定受付部は、特殊色現像剤の色の種別を含めた設定を受け付ける請求項２又は３記載の特殊色定義装置である。
【００１０】
請求項５に係る本発明は、前記特殊色設定受付部は、基本色現像剤の色データを用いて特殊色を定義する第１の特殊色定義部と、基本色現像剤の色データ及び特殊色現像剤の色データを用いて特殊色を定義する第２の特殊色定義部と、を有する請求項１記載の特殊色定義装置である。
【００１１】
請求項６に係る本発明は、前記特殊色設定受付部は、画像形成装置本体に依存しない色空間の色データを用いて特殊色を定義する第１の特殊色定義部と、基本色現像剤の色データ及び特殊色現像剤の色データを用いて特殊色を定義する第２の特殊色定義部と、を有する請求項１記載の特殊色定義装置である。
【００１２】
請求項７に係る本発明は、前記第１の特殊色定義部と前記第２の特殊色定義部との少なくともいずれか一方を選択する選択手段をさらに有する請求項６又は７記載の特殊色定義装置である。
【００１３】
請求項８に係る本発明は、画像形成する上で基本となる基本色現像剤の色データと、前記基本色現像剤とは色が異なる特殊色現像剤の色データとにより特殊色を定義するように色データの設定を受け付ける特殊色設定受付部と、前記特殊色設定受付部により受け付けられた特殊色で画像を形成する画像形成本体と、を有する画像形成装置である。
【００１４】
請求項９に係る本発明は、前記特殊色設定受付部で受け付けられた特殊色現像剤の色の種別と前記画像形成装置本体に搭載されている特殊色現像剤の色の種別とが一致しているか否かを判定する判定手段をさらに有する請求項８記載の画像形成装置である。
【００１５】
請求項１０に係る本発明は、前記特殊色設定受付部で受け付けられた特殊色現像剤の色の種別と前記画像形成装置本体に搭載されている特殊色現像剤の色の種別とが一致する場合に前記画像形成装置本体における画像形成を許可するように制御する制御手段をさらに有する請求項９記載の画像形成装置である。
【００１６】
請求項１１に係る本発明は、前記特殊色設定受付部で受け付けられた特殊色現像剤の色の種別と前記画像形成装置本体に搭載されている特殊色現像剤の色の種別とが一致しない場合に前記画像形成装置本体における画像形成を禁止するように制御する制御手段をさらに有する請求項９記載の画像形成装置である。
【００１７】
請求項１２に係る本発明は、画像形成する上で基本となる基本色現像剤の色データと、前記基本色現像剤とは色が異なる特殊色現像剤の色データとにより特殊色を定義するように色データの設定を受け付ける特殊色設定受付部と、前記特殊色設定受付部により受け付けられた特殊色で画像を形成する画像形成本体と、前記画像形成装置本体により画像形成すべきジョブの設定を受け付けるジョブ設定受付部と、前記特殊色設定受付部により受け付けられた特殊色に使用する特殊色現像剤と前記ジョブ設定受付部により受け付けられたジョブに使用する特殊色現像剤とが一致しているか否かを判定する判定手段と、を有する画像形成装置である。
【００１８】
請求項１３に係る本発明は、前記判定手段により特殊色設定受付部の特殊色現像剤とジョブ設定受付部の特殊色現像剤とが一致していると判定された場合、前記画像形成装置本体における画像形成を許可するように制御する制御手段をさらに有する請求項１２記載の画像形成装置である。
【００１９】
請求項１４に係る本発明は、前記判定手段により特殊色設定受付部の特殊色現像剤とジョブ設定受付部の特殊色現像剤とが一致していないと判定された場合、前記画像形成装置本体における画像形成を禁止するように制御する制御手段をさらに有する請求項１２記載の画像形成装置である。
【００２０】
請求項１５に係る本発明は、基本色現像剤の色データの設定を受け付けるステップと、特殊色現像剤の色データの設定を受け付けるステップと、を有し、前記基本色現像剤と前記特殊色現像剤との色データの設定により特殊色を定義するコンピュータに実行させるためのプログラムである。
【発明の効果】
【００２１】
請求項１、８又は１５に係る本発明によれば、特殊色現像剤を用いて画像形成する場合の特殊色の定義を行うことができる。
【００２２】
請求項２に係る本発明によれば、請求項１に係る本発明の効果に加えて、基本色現像剤の色データと特殊色現像剤の色データとを分けて設定することができる。
【００２３】
請求項３に係る本発明によれば、請求項２に係る本発明の効果に加えて、特殊色現像剤の配置を考慮して特殊色の定義を行うことができる。
【００２４】
請求項４に係る本発明によれば、請求項２又は３に係る本発明の効果に加えて、特殊色現像剤の色の種別を考慮して特殊色の定義を行うことができる。
【００２５】
請求項５又は６に係る本発明によれば、請求項１に係る本発明の効果に加えて、特殊色の定義を複数持つことができる。
【００２６】
請求項７に係る本発明によれば、請求項５又は６に係る本発明の効果に加えて、特殊色の複数の定義から選択することができる。
【００２７】
請求項９に係る本発明によれば、定義された特殊色で正しく画像形成できるか否かを判定することができる。
【００２８】
請求項１０又は１１に係る本発明によれば、請求項９に係る本発明の効果に加えて、設定された特殊色現像剤の色に対して画像形成装置本体で誤って画像形成されるのを防止することができる。
【００２９】
請求項１２に係る本発明によれば、特殊色設定受付部で受け付けた特殊色現像剤とジョブ設定受付部で受け付けた特殊色現像剤とが一致しているか否かを判定することができる。
【００３０】
請求項１３又は１４に係る本発明によれば、特殊色設定受付部とジョブ設定受付部との設定受付の矛盾に対応することができる。
【図面の簡単な説明】
【００３１】
【図１】本発明の実施形態に係る画像形成装置を示す正面図である。
【図２】本発明の実施形態に用いた画像形成装置本体を示す概略図である。
【図３】本発明の実施形態に用いた画像形成装置における画像形成部を示す側面図である。
【図４】本発明の実施形態に用いたサーバの回路例を示すブロック図である。
【図５】本発明の実施形態におけるサーバの機能を説明する機能構成図である。
【図６】本発明の実施形態における特殊色設定画面を示す画面図である。
【図７】本発明の実施形態における特殊色登録部に登録された色データの一例を示す図表である。
【図８】本発明の実施形態における特殊色現像剤の使用を設定するジョブ設定画面を示す画面図である。
【図９】本発明の実施形態における特殊色現像剤の指定を行うジョブ設定画面を示す画面図である。
【図１０】本発明の実施形態において、ジョブの特殊色に対する処理を示すフローチャートである。
【図１１】本発明の実施形態において、特殊色が第１の特殊色定義部により定義されている場合の流れを示す説明図である。
【図１２】本発明の実施形態において、特殊色が第２の特殊色定義部により定義されている場合の流れを示す説明図である。
【図１３】本発明の実施形態において、特殊色の生成処理を示すフローチャートである。
【発明を実施するための形態】
【００３２】
次に、本発明の実施の形態について図面を参照して詳細に説明する。
図１は、本発明の実施形態に係る画像形成装置１０が示されている。
【００３３】
画像形成装置１０は、サーバ１２、画像形成装置本体１４及び後処理装置１６を有し、これらがネットワークを介して接続されている。
【００３４】
サーバ１２は、画像形成すべき画像データを画像形成装置本体１４に供給すると共に、画像形成装置本体１４及び後処理装置１６を制御するようになっている。また、このサーバ１２には、表示装置１７が接続されている。この表示装置１７は、例えば液晶により設定画面を表示し、またタッチパネル、キーボード等によりデータを入力できるようになっている。
【００３５】
画像形成装置本体１４は、記録媒体供給部１８及び画像形成部２０を有する。
【００３６】
記録媒体供給部１８は、例えば記録媒体としてカット紙又は連続用紙を画像形成部２０に供給する。
【００３７】
画像形成部２０は、例えば図２に示された構造を有する。
即ち、画像形成部２０は、中間転写ベルト２２を備えている。中間転写ベルト２２の上方には、例えば６つの画像形成ユニット２４が設けられている。画像形成ユニット２４は、シアン、マゼンダ、イエロー及び黒の基本色現像剤の他、特殊色現像剤として、金、銀、透明、白、オレンジ等の中から選択されたトナーを用いて画像を形成するようになっている。特殊色現像剤は、図示しないトナー収容部を交換することによって色を交換できるようにしてある。
【００３８】
画像形成ユニット２４は、図３に示すように、例えばゼログラフィ方式であり、感光体ドラム２６と、この感光体ドラム２６の表面を一様に帯電する帯電手段としての帯電装置２８と、感光体ドラム２６上に形成された静電潜像を現像する現像装置３０と、クリーニング装置３２とから構成されている。感光体ドラム２６は、トナー像（現像剤像）を保持する円筒形状の画像保持体であり、帯電装置２８により一様に帯電され、光走査装置３４により照射されたレーザ光により静電潜像が形成される。感光体ドラム２６に形成された静電潜像は、現像装置３０によりトナーで現像される。中間転写ベルト２２を挟んで感光ドラム２６に対向した位置には一次転写ロール３６が設けられている。現像装置３０により現像されたトナー像は、一次転写ロール３６により中間転写ベルト２２に転写される。なお、トナー像の転写工程の後に感光体ドラム２６に付着している残留トナー及び紙粉等は、クリーニング装置３２によって除去される。
【００３９】
画像形成ユニット２４により中間転写ベルト２２に転写されたトナー像は、記録媒体供給部１８から供給された記録媒体に二次転写ロール３８により二次転写される。画像が転写された記録媒体は、定着ユニット４０に送られ、例えば熱と圧力とにより画像が定着される。このように画像が定着された記録媒体は、さらに冷却ユニット４２により冷却される。
【００４０】
前述したサーバ１２は、図４に示すように、ＣＰＵ４８、メモリ５０、ユーザインターフェイス５２及び通信インターフェイス５４を有し、これらが制御バス５６を介して接続されている。
【００４１】
ＣＰＵ４８は、メモリ５０に格納された制御プログラムに基づいて予め定められた処理を実行する。ユーザインターフェイス５２は、表示装置１７に接続されている。表示装置１７は、受信した印刷データから生成したプレビュー画面や設定画面を表示する。
【００４２】
通信インターフェイス５４は、ネットワークに接続されたパーソナルコンピュータ等からの印刷データを受信して処理した画像データを画像形成装置本体１４へ送る。
【００４３】
図５は、本発明の実施形態に係るサーバ１２の機能構成図である。
なお、各機能は、ソフトウエアによって実現してもよいし、一部又は全部をハードウエアによって実現してもよい。
【００４４】
データ受付部５８は、ネットワークに接続されたパーソナルコンピュータ等から印刷データを受け付ける。画像処理部６０は、データ受信部５８が受信した印刷データを処理する。また、画像処理部６０は、特殊色登録部６２に登録された登録データ及びジョブ設定受付部６４により設定された設定データを受け付け、この設定データにより画像を処理する。画像処理部６０で処理されたデータはデータ送信部６６を介して画像形成装置本体１４へ送られる。特殊色登録部６２には、特殊色設定受付部６８により設定された特殊色の色データが登録される。
【００４５】
図６は、特殊色設定受付部６８による特殊色設定画面７０を示す。特殊色設定画面７０は、表示装置１７に表示される。
【００４６】
特殊色設定画面７０は特殊色名記入部７２を有する。特殊色名記入部７２は、特殊色の名称を記入する。ここでは、例えば「PANTONE 877C」(PANTONEはパントーンエルエルシーの登録商標)となっている。この特殊色の名称は、色見本を提供する業者が名付けた名称であってもよいが、使用者が自由に記入することができる。
【００４７】
第１の特殊色定義部７４は、特殊色をＬａｂ空間のＬ*ａ*ｂ*値又はＣＭＹＫ値で定義する。Ｌ＊ａ*ｂ*は−１００から＋１００までの値をとる。ここでは、Ｌ*＝６０．１９、ａ*＝−０．７７、ｂ*＝−２．０１とし、「PANTONE 877C」について測色器を使用して測定した値が初期値として入っている。また、第１の特殊色定義部７２は、代表的な画像形成装置本体１４に依存するＣＭＹＫでも定義できるようになっており、使用者はＬ*ａ*ｂ*値又はＣＭＹＫ値を選択できるようになっている。ＣＭＹＫ値は、０〜１００％までの値をとり、現像剤量を表示する。第１の特殊色設定受付部７２には、Ｌ*ａ*ｂ*値又はＣＭＹＫ値のいずれかを選択する選択ボタンが含まれている。
なお、Ｌａｂ空間は、デバイスに依存しない空間であり、特殊色を定義するには、他のデバイスに依存しない空間の色データで定義してもよい。
【００４８】
Ｌ*ａ*ｂ*値又はＣＭＹＫ値の側部には、値を増減させるための増減ボタンが配置されている。この増減ボタンを使用者が操作することによりそれぞれの値が変更される。
【００４９】
第２の特殊色定義部７６は、特殊色現像剤を使用するか否かのチェックボックスがある。第２の特殊色定義部７６は、基本色現像剤設定受付部７８と特殊色現像剤設定受付部８０とを有する。基本色現像剤設定受付部７８は、基本色現像剤としてＣＭＹＫを用いるが、ＣＭＹであってもよい。第２の特殊色定義部７６は、特殊色現像剤を使用する場合にＣＭＹＫ値と特殊色現像剤の色データとから特殊色を定義するようになっている。色データとしては、基本色現像剤設定受付部７８により設定されるＣＭＹＫ値（０〜１００％）、特殊色現像剤設定受付部８０により設定される特殊色現像剤の配置、種別及び特殊色現像剤の量（０〜１００％）が含まれる。上述した「PANTONE 877C」では、C＝４．５４、Ｍ＝４．９１、Ｙ＝０．６５、Ｋ＝０．００で、配置は最背面、種別は銀である。ここでは、銀１００％となっている。配置は、前述したどの画像形成ユニット２４に特殊現像剤を供給するかにより決まる。この場合は、最初に画像形成される画像形成ユニット２４に銀色の現像剤が供給されるようにトナー収容部を銀色の現像剤が収容されているものにする。また、最後に画像形成される画像形成ユニット２４には特殊色現像剤による画像形成ができないようにする。
【００５０】
ただし、第２の特殊色設定受付部７６における特殊色現像剤の種別は、画像形成ユニット２４の搭載状況と連動させてもよいが、独立して設定されるようにしてもよい。特殊色の定義は、この名前の特殊色はこの色で出したいというものであるから、画像形成ユニット２４の搭載状況による必要はない。
【００５１】
この第２の特殊色定義部７６のＣＭＹＫ値と特殊色現像剤の色データの側部には値を増減させるための増減ボタンが配置されている。この増減ボタンを使用者が操作することによりそれぞれの値が変更される。
【００５２】
また、特殊色設定画面７０には、特殊色表示部８２が設けられている。この特殊色表示部８２は、第１の特殊色定義部７４又は第２の特殊色定義部７６で定義された特殊色を表示する。即ち、第１の特殊色定義部７４で定義されたＬ*ａ*ｂ*値又はＣＭＹＫ値をＲＧＢに変換し、又は第２の特殊色定義部７６で設定されたＣＭＹＫ値及び特殊色現像剤値をＲＧＢに変換し、特殊色表示部８２に表示する。第２の特殊色定義部７６で定義されたＣＭＹＫ値と特殊色現像剤値とはそれぞれ別個にＲＧＢ変換し、それぞれを合成することにより特殊色表示部８２に表示する色を求める。
【００５３】
また、設定画面７０には、登録ボタン８４とキャンセルボタン８６とが設けられている。登録ボタン８４は、第１の特殊色定義部７４又は第２の特殊色定義部７６で設定された特殊色データを登録する。キャンセルボタン８６は、登録せずに前画面に戻る。
【００５４】
図７は、特殊色登録部６２に登録された特殊色の色データの登録状態を示す。
特殊色データは、特殊色名に対して、第１の特殊色定義部７４で定義されたＬ*ａ*ｂ*値及びＣＭＹＫ値、並びに第２の特殊色定義部７６で設定したＣＭＹＫ値、配置、種別及び特殊色現像剤の量が登録される。
【００５５】
各特殊色には、カテゴリーが割り当てられる。カテゴリーには、例えば特別色と使用者登録色とがある。特別色とは、特殊色現像剤と同一の色であり、例えば透明、金、銀である。（Ｃ，Ｍ，Ｙ，Ｋ，特殊色現像剤の量）とすれば、特別色には、初期値として（０，０，０，０，１００）が設定されている。後述するジョブ設定画面（図９に示す）において、特殊色名で指定されたオブジェクトについては、その都度、「指定した特殊色版を置換する」を設定しなくても特殊色現像剤に置き換えることができるように予め設定登録されている。
【００５６】
一方、使用者登録色は、前述した「PANTONE 877C」のように、使用者によって登録される色である。この使用者登録色は、ジョブ設定画面で「指定した特殊色版を置換する」を設定することにより指定されるようになる。
【００５７】
図８は、前述したジョブ設定受付部６４によるジョブ設定画面８８を示す。ジョブ設定画面８８は、表示装置１７に表示される。
なお、ジョブとは、印刷対象物を印刷することをいう。
【００５８】
ジョブ設定画面８８は、ジョブの用紙、レイアウト、カラー等の他に、特殊色現像剤を選択するタブを有する。この特殊色現像剤のタブにあっては、特殊色現像剤を使用するか否かを選択する特殊色現像剤チェックボックス９０を有する。また、使用する特殊色現像剤はすべてなのか、又はどの現像剤を使用するかを選択する使用特殊色選択部９２を有する。さらに使用特殊色選択部９２で選択された特殊色現像剤を特殊色に使用するか否かを選択する特殊色使用チェックボックス９４を有する。特殊色使用チェックボックス９４をチェックしない場合は、特殊色の形成には特殊色現像剤は使用せずにＣＭＹＫ現像剤のみにより特殊色画像を形成する。通常、特殊色現像剤は、ＣＭＹＫ現像剤よりも単価が高いので、費用を抑えるためにはＣＭＹＫ現像剤のみにより特殊色画像を形成するように設定する。
【００５９】
また、特殊色現像剤のタブには、特殊色現像剤を最前面又は最背面のいずれかに特殊色現像剤を使用するかを選択する選択部を有する。例えば図９に示すように、最前面を選択すると、特殊色現像剤を指定する特殊色現像剤指定部９５が表示される。この特殊色現像剤指定部９５は、「プリンターに従う」「透明」「金」「銀」を指定するようになっている。「プリンターに従う」とは、画像形成装置本体１４に装着された特殊色現像剤に従って画像形成するように設定する選択肢である。また、このジョブ設定画面８８には、「指定した特殊色版を置換する」を設定する置換チェックボックス９７が設けられている。この置換チェックボックス９７にチェックを入れると、前述したように使用者登録色に置換される。
【００６０】
図９は、ジョブの特殊色に対する処理を示すフローチャートである。
まずステップＳ１０において、ジョブに特殊色の印刷対象（オブジェクト）が含まれているか否かを判定する。
【００６１】
ステップＳ１０において、ジョブに特殊色の印刷対象が含まれていないと判定された場合は、ステップＳ１２進み、画像形成装置本体１４の画像形成を許可し、処理を終了する。一方、ステップＳ１０において、ジョブに特殊色の印刷対象が含まれていると判定された場合はステップＳ１４に進む。
【００６２】
ステップＳ１４においては、使用者によって設定された特殊色を形成するための特殊色現像剤が有する画像形成ユニットが画像形成装置本体１４に搭載されているか否かを判定する。ステップＳ１４において、特殊色現像剤を有する画像形成ユニットが搭載されていると判定された場合は、次のステップＳ１６に進む。
【００６３】
一方、ステップＳ１４において、特殊色現像剤を有する画像形成ユニットが搭載されていないと判定された場合は、ステップＳ１８に進む。ステップＳ１８においては、エラー処理を実行し、処理を終了する。エラー処理は、例えば警告を表示したり、画像形成を禁止したりする。
【００６４】
ステップＳ１６においては、特殊色登録部６２に登録された特殊色現像剤とジョブ設定受付部６４で受け付けた特殊色現像剤とが一致しているか否かを判定する。ステップ Ｓ１６において、一致していると判定された場合は、ステップＳ１２に進み、画像形成装置本体１４の画像形成を許可し、処理を終了する。一方、ステップＳ１６において、一致していないと判定された場合は、ステップＳ１８へ進んでエラー処理が実行される。
【００６５】
図１０は、特殊色が第１の特殊色定義部７４により定義されている場合の処理を示す。
まず原稿に特殊色オブジェクトとして記述されている特殊色名から特殊色登録部６２に登録されているＣＭＹＫ値（又はＬ*ａ*ｂ*値）を取得する。また、特殊色に含まれないＣＭＹＫ値を取得し、ラスタ―画像生成部（ＲＩＰ部）９６において、特殊色のＣＭＹＫ値と特殊色に含まれないＣＭＹＫ値とを合成し、ＣＭＹＫ版からなるラスタ―画像を生成する。
【００６６】
図１１は、特殊色が第２の特殊色定義部７６により定義されている場合の処理を示す。
まず原稿に特殊色オブジェクトして記述されている特殊色名から特殊色登録部６２に登録されているＣＭＹＫ値（又はＬ*ａ*ｂ*値）及び特殊色現像剤の色データを取得する。また、特殊色に含まれないＣＭＹＫ値を取得し、ラスタ―画像生成部９６において、特殊色のＣＭＹＫ値と特殊色に含まれないＣＭＹＫ値とを合成し、ＣＭＹＫ版からなるラスタ―画像と特殊色現像剤で現像すべき特殊色版からなるラスタ―画像とを生成し、５版又は６版とする。
【００６７】
図１２は、特殊色の生成処理を示すフローチャートである。
まずステップＳ２０において、特殊色登録部６２に使用すべき特殊色の定義が存在しているか否かを判定する。ステップＳ２０において、特殊色登録部６２に特殊色の定義が存在しないと判定された場合はステップＳ２２に進み、色データは生成せず、受け付けられた色データをそのまま用いる。受け付けられたデータに対応する色がない場合は、該データに近い代替色とし、処理を終了する。
【００６８】
ステップＳ２０において、特殊色登録部６２に使用すべき特殊色の定義が存在すると判定された場合はステップＳ２４に進む。ステップＳ２４においては、特殊色現像剤ありの定義があるか否かを判定する。即ち、前述した第２の特殊色定義部７６に特殊色の定義があるか否かを判定する。ステップＳ２４において、特殊色現像剤ありの定義がないと判定された場合はステップＳ２６に進む。ステップＳ２６においては、ＣＭＹＫ値又はＬ*ａ*ｂ*値の定義から４色の色データを生成し、処理を終了する。
【００６９】
ステップＳ２４において、特殊色現像剤ありの定義があると判定された場合はステップＳ２８に進む。ステップＳ２８においては、ジョブのオプションで特殊色現像剤ありが許可されているか否か、即ち特殊色使用チェックボックス９４にチェックされているか否かを判定する。ステップＳ２８において、特殊色現像剤ありが許可されていない場合は、ステップＳ２６に進み、ＣＭＹＫ値又はＬ*ａ*ｂ*値の定義から４色の色データを生成し、処理を終了する。
【００７０】
一方、ステップＳ２８において、ジョブのオプションで特殊色現像剤ありが許可されていると判定された場合は、ステップＳ３０に進む。ステップＳ３０においては、特殊現像剤ありの定義から基本色現像剤及び特殊色現像剤の色データ（５色又は６色）を生成し、処理を終了する。
【００７１】
なお、上記実施形態においては、ゼログラフィ技術を用いて印刷する場合について説明したが、他の印刷技術、例えばインクジェット技術に対しても適用できる。
【符号の説明】
【００７２】
１０    画像形成装置
１２    サーバ
１４    画像形成装置本体
１７    表示装置
４８    ＣＰＵ
５０    メモリ
５２    ユーザインターフェイス
５８    データ受付部
６０    画像処理部
６２    特殊色登録部
６４    ジョブ設定受付部
６６    特殊色設定受付部
７０    特殊色設定画面
７４    第１の特殊色設定受付部
７６    第１の特殊色設定受付部
７８    基本色現像剤設定受付部
８０    特殊色現像剤設定受付部
８８    ジョブ設定画面
９６    ラスタ―画像生成部
【図１】
2019020470.tif 000003
【図２】
2019020470.tif 000004
【図３】
2019020470.tif 000005
【図４】
2019020470.tif 000006
【図５】
2019020470.tif 000007
【図６】
2019020470.tif 000008
【図７】
2019020470.tif 000009
【図８】
2019020470.tif 000010
【図９】
2019020470.tif 000011
【図１０】
2019020470.tif 000012
【図１１】
2019020470.tif 000013
【図１２】
2019020470.tif 000014
【図１３】
2019020470.tif 000015